(57)【要約】【目的】  身体障害者にとって使いやすく、かつ安価な身体障害者トイレ用椅子を提供する。【構成】  身体障害者５００が座った状態で洋式便器２００を使用可能とすべく洋式便器２００の上側に被さるようにセット可能な身体障害者トイレ用椅子であり、第１の座面１１０と、第１の座面１１０から下方に延設された脚部１３０と、第１の座面１１０の後ろ側で第１の座面１１０の上側に位置してヒンジ結合された第２の座面１２０とを備え、脚部１３０は、間に洋式便器２００が入り込むことが可能な寸法に設定され、第１の座面１１０には、洋式便器２００の上側に被さるようにセットされた場合、洋式便器２００の便座２３０の上側に位置する便座用開口１１１と、洋式便器２００の洗浄機能を操作する操作スイッチ群２５０の上側に位置するスイッチ用開口１１２とが設けられている。【選択図】      図１
0003125229.tif 000002
【実用新案登録請求の範囲】
【請求項１】
身体障害者が座った状態で洋式便器を使用可能とすべく洋式便器の上側に被さるようにセット可能な身体障害者トイレ用椅子において、第１の座面と、この第１の座面から下方に延設された脚部と、前記第１の座面の後ろ側において第１の座面の上側に位置してヒンジ結合された第２の座面とを具備しており、前記脚部は、間に洋式便器が入り込むことが可能な寸法に設定されており、前記第１の座面には、洋式便器の上側に被さるようにセットされた場合、洋式便器の便座の上側に位置する便座用開口と、洋式便器に設置された洗浄機能を操作する操作スイッチ群の上側に位置するスイッチ用開口とが設けられていることを特徴とする身体障害者トイレ用椅子。
【請求項２】
前記脚部の下端には、ストッパー付のキャスターが設けられていることを特徴とする請求項１記載の身体障害者トイレ用椅子。
【請求項３】
前記脚部のうち、前側脚部の間には、折り畳み可能な足おき板が設けられていることを特徴とする請求項１又は２記載の身体障害者トイレ用椅子。
【請求項４】
前記キャスターは、高さ調節が可能なものであることを特徴とする請求項２記載の身体障害者トイレ用椅子。
【請求項５】
前記脚部のうち、左右の後脚部の間には、開いた状態にある第２の座面を支持する座支持部が設けられていることを特徴とする請求項１、２、３又は４記載の身体障害者トイレ用椅子。
【考案の詳細な説明】
【技術分野】
【０００１】
本考案は、身体障害者やその介護者にとって使いやすく、かつ安価な身体障害者トイレ用椅子に関する。
【背景技術】
【０００２】
車椅子を使用している身体障害者が洋式便器を使用する際には、乗っている車椅子から臀部をずらすようにして洋式便器の便座に乗り移るようにしている。この乗り移りは、身体障害者にとっては、かなり無理な体勢を強いるものであり、場合によって乗り移り時の転落事故の原因にもなりかねず、また介護者にとっても大きな負担がかかるものであった。
【０００３】
この身体障害者のみならず介護者にとっても大きな負担となる車椅子から洋式便器への乗り移りを手助けするものとして、特開２０００−２３２９９８号公報に記載されたような身体障害者用トイレ介助装置が開発されている。
【０００４】
【特許文献１】特開２０００−２３２９９８号公報
【考案の開示】
【考案が解決しようとする課題】
【０００５】
しかしながら、この身体障害者用トイレ介助装置は、かなり大がかりなものであり、スペース的にもコスト的にも個人宅に簡単に設置できるものではなかった。
【０００６】
本考案は上記課題を解消するために創案されたものであって、身体障害者にとって使いやすく、かつ安価な身体障害者トイレ用椅子を提供することを目的としている。
【課題を解決するための手段】
【０００７】
本考案に係る身体障害者トイレ用椅子は、身体障害者が座った状態で洋式便器を使用可能とすべく洋式便器の上側に被さるようにセット可能な身体障害者トイレ用椅子であって、第１の座面と、この第１の座面から下方に延設された脚部と、前記第１の座面の後ろ側において第１の座面の上側に位置してヒンジ結合された第２の座面とを備えており、前記脚部は、間に洋式便器が入り込むことが可能な寸法に設定されており、前記第１の座面には、洋式便器の上側に被さるようにセットされた場合、洋式便器の便座の上側に位置する便座用開口と、洋式便器に設置された洗浄機能を操作する操作スイッチ群の上側に位置するスイッチ用開口とが設けられている。
【０００８】
前記脚部の下端には、ストッパー付のキャスターが設けられているとよい。
【０００９】
また、前記脚部のうち、前側脚部の間には、折り畳み可能な足おき板が設けられている。
【００１０】
さらに、前記キャスターは、高さ調節が可能なものであることが望ましい。
【００１１】
前記脚部のうち、左右の後脚部の間には、開いた状態にある第２の座面を支持する座支持部が設けられている。
【考案の効果】
【００１２】
本考案に係る身体障害者トイレ用椅子は、第１の座面に座った状態で身体障害者が用便を行うことができるので、例えば、ベッドに寝たきりの身体障害者を別途から身体障害者トイレ用椅子にのせ、そのままトイレまで押していき、そのままの状態で用便を行わせることができる。すなわち、従来のように、無駄な車椅子への乗り移りが不要となるので、身体障害者にとって使いやすいのはもちろんのこと、介護者にとっても大幅な労力の軽減が可能になる。また、構造が簡単であるので、安価に構成することも可能である。
【考案を実施するための最良の形態】
【００１３】
図１は本考案に係る身体障害者トイレ用椅子の第２の便座をはね上げた状態を示す概略的斜視図、図２は本考案に係る身体障害者トイレ用椅子の第２の便座を下ろした状態を示す概略的斜視図、図３は本考案にかかる身体障害者トイレ用椅子をトイレにおいて使用している状態を示す概略的側面図、図４は本考案にかかる身体障害者トイレ用椅子を単なる椅子として使用している状態を示す概略的側面図、図５は本考案に係る身体障害者トイレ用椅子の第１の座面と洋式便器との位置関係を示す概略的平面図、図６は一般的な洋式便器の概略的側面図、図７は一般的な洋式便器の概略的平面図である。
【００１４】
本考案に係る身体障害者トイレ用椅子１００は、図１に示すように、身体障害者５００が座った状態で洋式便器２００を使用可能とすべく洋式便器２００の上側に被さるようにセット可能な身体障害者トイレ用椅子であって、第１の座面１１０と、この第１の座面１１０から下方に延設された脚部１３０と、前記第１の座面１１０の後ろ側において第１の座面１１０の上側に位置してヒンジ結合された第２の座面１２０とを備えており、前記脚部１３０は、間に洋式便器２００が入り込むことが可能な寸法に設定されており、前記第１の座面１１０には、洋式便器２００の上側に被さるようにセットされた場合、洋式便器２００の便座２３０の上側に位置する便座用開口１１１と、洋式便器２００に設置された洗浄機能を操作する操作スイッチ群２５０の上側に位置するスイッチ用開口１１２とが設けられている。
【００１５】
まず、一般的な洋式便器２００は、図６や図７に示すように、本体部２１０と、この本体部２１０の後方に設けられた貯水タンク２２０と、前記本体部２１０の上側に開閉可能に設けられた便座２３０と、この便座２３０と同様に開閉可能に設けられた蓋体２４０とを有している。そして、洗浄機能を操作する操作スイッチ群２５０は、リモコンとして本体部２１０とは別体に設けられているものと、本体部２１０に一体的に設けられているものとがある。以下では、操作スイッチ群２５０が本体部２１０と一体的に設けられているものを挙げて説明を行う。
【００１６】
まず、この身体障害者トイレ用椅子１００は、身体障害者５００でも軽々と取り扱うことができるように、木材や合成樹脂等の比較的軽量な素材から構成されている。
【００１７】
この身体障害者トイレ用椅子１００の第１の座面１１０は、トイレにおいて使用している場合に座る略矩形状の座面であって、便座用開口１１１と、スイッチ用開口１１２とが開設されている。
【００１８】
この第１の座面１１０は、四隅に脚部１３０が取り付けられている。各脚部１３０のうち、左右の前脚部１３１Ｌ、１３１Ｒの間は第１の座面１１０より下方において前貫部材１４０で連結されており、前脚部１３１Ｌ、１３１Ｒと後脚部１３２Ｌ、１３２Ｒとの間は第１の座面１１０より下方において横貫部材１４１によって連結されている。しかし、左右の後脚部１３２Ｌ、１３２Ｒの間は、貫部材に相当する部材で連結されていない。これは、身体障害者トイレ用椅子１００が、洋式便器２００にの上側に被さるようにセットされる際に、後ろ向きにセットされるのが最も合理的であるため、セットの際の邪魔にならないようにするためである。
【００１９】
脚部１３０は、第１の座面１１０より上方まで伸びており、前脚部１３１Ｌ、１３１Ｒと後脚部１３２Ｌ、１３２Ｒとの上端においてひじ掛け１５０で連結されている。
【００２０】
一方、左右の後脚部１３２Ｌ、１３２Ｒ、しかも第１の座面１１０や第２の座面１２０より上側の間には、開いた状態にある第２の座面１２０を支持する座支持部１６０が設けられている（図２参照）。この座支持部１６０には、例えば皮革製のベルトが用いられる。また、この座支持部１６０は、身体障害者トイレ用椅子１００を単なる椅子として使用する場合には、背もたれとして機能する。
【００２１】
前記第１の座面１１０に開設された便座用開口１１１は、身体障害者トイレ用椅子１００が洋式便器２００の上側に被さるようにセットされた場合、洋式便器２００の便座２３０の上側に位置するようになっている。すなわち、この便座用開口１１１が身体障害者トイレ用椅子１００を使用する際の便座となるのである。従って、この便座用開口１１１は、洋式便器２００の便座２３０の内側縁部と同程度の大きさ、形状に設定されている。
【００２２】
また、前記第１の座面１１０に開設されたスイッチ用開口１１２は、身体障害者トイレ用椅子１００が洋式便器２００の上側に被さるようにセットされた場合、洋式便器２００に設置された洗浄機能を操作する操作スイッチ群２５０の上側に位置するようになっている。すなわち、このスイッチ用開口１１２を介して、洗浄機能を操作する操作スイッチ群２５０を操作することができるのである。
【００２３】
前記脚部１３０の下端には、ストッパー付のキャスター１７０が設けられている。このキャスター１７０があるので、身体障害者トイレ用椅子１００に身体障害者が座っても、介護者は簡単にトイレまで移動させることができるのである。なお、不用意に身体障害者トイレ用椅子１００が動かないように、このキャスター１７０は回転を強制的に停止するストッパーが設けられているタイプのものが望ましい。
【００２４】
また、このキャスター１７０は、高さ調節が可能なものであることが望ましい。なぜならば、一般的な洋式便器といえども、メーカーや仕様によってその高さ寸法が異なるので、各種の高さの洋式便器に対応することができるようにするためである。さらには、使用者である身体障害者５００の体格にも対応することができるようにするためである。
【００２５】
また、前記脚部１３０のうち、前側脚部１３１Ｌ、１３１Ｒの間には、使用中の身体障害者５００が足をおくことができるようになった折り畳み可能な足おき板１８０が設けられている。この足おき板１８０は、第１の座面１１０の前面から垂下された垂下板１８１と、この垂下板１８１の下端から直交する方向に取り付けられた水平板１８２と、両板１８１、１８２を折り畳み可能に連結するヒンジ（図示省略）とから構成されている。従って、この足おき板１８０は、使用中には、水平板１８２が垂下板１８１に対して直交するように出ており、不使用中には水平板１８２がヒンジから折り畳まれている。
【００２６】
また、第１の座面１１０の上側には、第２の座面１２０が設けられている。この第２の座面１２０は、図１に示すように、前記第１の座面１１０の後ろ側において第１の座面１１０とヒンジ１８０によってヒンジ結合されている。従って、この第２の座面１２０は、図２等に示すように、後ろ側に向かってはね上げるように動かすことができる。この第２の座面１２０の表面には、適宜なクッション１２１が設けられている。
なお、はね上げられた第２の座面１２０は、左右の後脚部の間に設けられた座支持部１６０によって支持されるようになっている。
【００２７】
以上のように構成された身体障害者トイレ用椅子１００は次のようにして使用する。
まず、この身体障害者トイレ用椅子１００を通常の椅子として使用する場合には、図２に示すように、第２の座面１２０を下ろした状態、すなわち第１の座面１１０の上側に第２の座面１２０を重ねた状態で使用する。
【００２８】
この身体障害者トイレ用椅子１００をトイレにて使用する場合には、図１に示すように、第２の座面１２０をはね上げて、第１の座面１１０を露出させる。なお、第２の座面１２０は、座支持部１６０に支持させる。この状態で身体障害者５００を第１の座面１１０の便座用開口１１１に臀部を載せた状態で座らせる。また、この状態では、足おき板１８０は略Ｌ字形状、すなわち水平板１８１を水平にして足をおくことができるようにしておく。
【００２９】
なお、身体障害者５００としては、足腰の弱ったものを想定しているので、ベッドから身を起こして、ベッドサイドにて身体障害者トイレ用椅子１００に座るようにする。
【００３０】
そして、介護者は、身体障害者５００が乗った身体障害者トイレ用椅子１００を押して移動させ、身体障害者トイレ用椅子１００が洋式便器２００の上側に被さるようにセットする（図３参照）。この状態で、安全のためにキャスター１７０のストッパーを操作して、身体障害者トイレ用椅子１００が不用意に動かないようにする。なお、この場合の洋式便器２００の少なくとも蓋体２４０は上げておく。
【００３１】
用便を済ませた後は、第１の便座１１０のスイッチ用開口１１１を介して、洋式便器２００に設置された洗浄機能を操作する操作スイッチ群２５０を操作して臀部の洗浄を行う。
【００３２】
身体障害者５００は、身体障害者トイレ用椅子１００とともに、介護者によって、ベッドサイドにまで移動されて、ベッドに横たわる。
【００３３】
なお、身体障害者５００が身体障害者トイレ用椅子１００に乗り移るのは、必ずしもベッドサイドである必要はなく、それぞれの障害の程度に応じた場所で乗り移るようにすればよい。
【図面の簡単な説明】
【００３４】
【図１】本考案に係る身体障害者トイレ用椅子の第２の便座をはね上げた状態を示す概略的斜視図である。
【図２】本考案に係る身体障害者トイレ用椅子の第２の便座を下ろした状態を示す概略的斜視図である。
【図３】本考案にかかる身体障害者トイレ用椅子をトイレにおいて使用している状態を示す概略的側面図である。
【図４】本考案にかかる身体障害者トイレ用椅子を単なる椅子として使用している状態を示す概略的側面図である。
【図５】本考案に係る身体障害者トイレ用椅子の第１の座面と洋式便器との位置関係を示す概略的平面図である。
【図６】一般的な洋式便器の概略的側面図である。
【図７】一般的な洋式便器の概略的平面図である。
【符号の説明】
【００３５】
１００    身体障害者トイレ用椅子
１１０    第１の座面
１１１    便座用開口
１１２    スイッチ用開口
１２０    第２の座面
１３０    脚部
【図１】
0003125229.tif 000003
【図２】
0003125229.tif 000004
【図３】
0003125229.tif 000005
【図４】
0003125229.tif 000006
【図５】
0003125229.tif 000007
【図６】
0003125229.tif 000008
【図７】
0003125229.tif 000009